(57)【要約】【課題】簡易な通信端末において情報の運用を容易にする状態収集システムを提供する。【解決手段】状態収集システム１は、検出装置１０と、通信端末４０と、カード型記憶媒体６０と、を備え、検出装置１０は、所定の情報を非接触で記憶可能なタグ部１８を有し、通信端末４０は、カード型記憶媒体６０から前記情報を非接触で読み取り可能であり、かつ、検出装置１０のタグ部１８に読み取った情報を非接触で記憶させることが可能なタグ制御部４２を有し、カード型記憶媒体６０は、前記情報を格納し、かつ、前記通信端末と非接触で通信可能であって、前記情報を予め記憶した制御カードと、前記情報を記憶可能な情報記憶カード６０−５により構成され、通信端末４０は、前記制御カードから読み取った前記情報を情報記憶カード６０−５に記憶させる。【選択図】図６
2020052662.tif 000002
【特許請求の範囲】
【請求項１】
検出装置と、通信端末と、カード型記憶媒体と、を備え、
前記検出装置は、所定の情報を非接触で記憶可能なタグ部を有し、
前記通信端末は、前記カード型記憶媒体から前記情報を非接触で読み取り可能であり、かつ、前記検出装置の前記タグ部に読み取った前記情報を非接触で記憶させることが可能なタグ制御部を有し、
前記カード型記憶媒体は、前記通信端末と非接触で通信可能であって、前記情報を予め記憶した制御カードと、前記情報を記憶可能な情報記憶カードにより構成され、
前記通信端末は、前記制御カードから読み取った前記情報を前記情報記憶カードに記憶させる、
状態収集システム。
【請求項２】
前記通信端末は、複数の前記制御カードから前記情報を読み取って組み合わせ情報として記憶し、前記組み合わせ情報を前記情報記憶カードに記憶させる、
請求項１に記載の状態収集システム。
【請求項３】
前記通信端末は、前記情報記憶カードから前記情報を読み取り、前記検出装置に記憶させる、
請求項１乃至２のいずれか１つに記載の状態収集システム。
【請求項４】
前記カード型記憶媒体は、情報消去カードをさらに備え、
前記通信端末は、前記情報消去カードを読み取った場合に、前記情報記憶カードの前記情報を消去する消去モードとなる、
請求項１乃至３のいずれか１つに記載の状態収集システム。
【請求項５】
前記通信端末は、前記消去モードで前記制御カードを読み取った場合に、前記制御カードの前記情報を消去しない、
請求項４に記載の状態収集システム。
【発明の詳細な説明】
【技術分野】
【０００１】
本発明は、状態収集システムに関する。
【背景技術】
【０００２】
例えば、特許文献１には、プラント機器に取り付けられてそのプラント機器の監視を行う監視用センサが、管理サーバと広域ネットワークを介して接続されているメインテナンス支援システムが開示されている。特許文献１に開示されているメインテナンス支援システムでは、定期的に、監視用センサが検出したプラント機器に応じた温度、振動、回転数等の物理量を含む測定データが、無線通信で管理サーバに送信される。
また、特許文献２には、モバイル端末が装置に設けられたＩＣチップから装置識別情報を読み込み、サーバが前記装置識別情報に対応する前記装置の動作情報を前記モバイル端末に送信するプラント保守支援システムが開示されている。
【先行技術文献】
【特許文献】
【０００３】
【特許文献１】特開２００６−２０９５９４号公報
【特許文献２】特開２０１４−１７４９４７号公報
【発明の概要】
【発明が解決しようとする課題】
【０００４】
しかしながら、特許文献２に記載のプラント保守支援システムでは、モバイル端末が、装置のＩＣチップと通信するための部品と、サーバと通信するための部品の両方を備える必要があり、端末が複雑化、高価になるという問題がある。
【０００５】
本発明の１つの目的は、簡易な通信端末において情報の運用を容易にする状態収集システムを提供することにある。本発明の他の目的は、以下に例示する態様及び好ましい実施形態、並びに添付の図面を参照することによって、当業者に明らかになるであろう。
【課題を解決するための手段】
【０００６】
本発明に係る状態収集システムは、検出装置と、通信端末と、カード型記憶媒体と、を備え、
前記検出装置は、所定の情報を非接触で記憶可能なタグ部を有し、
前記通信端末は、前記カード型記憶媒体から前記情報を非接触で自動的に読み取り可能であり、かつ、前記検出装置の前記タグ部に読み取った前記情報を非接触で自動的に格納させることが可能なタグ制御部を有し、
前記カード型記憶媒体は、前記通信端末と非接触で通信可能であって、前記情報を予め記憶した制御カードと、前記情報を記憶可能な情報記憶カードにより構成され、
前記通信端末は、前記制御カードから読み取った前記情報を前記情報記憶カードに記憶させる。
【発明の効果】
【０００７】
本発明によれば、簡易な通信端末において情報の運用を容易にする状態収集システムを提供することができる。
【図面の簡単な説明】
【０００８】
【図１】本発明の状態収集システムの全体構成の例を示す図である。
【図２】図１に示される状態収集システムの各構成要素の内部構造の例を示す図である。
【図３】図１に示されるネットワーク構築装置が記憶するネットワーク構築情報及び図１に示されるデータ蓄積装置が記憶する機器情報のデータ構造の例を示す図である。
【図４】図１に示される状態収集システムにおけるカード型記憶媒体の例を示す図である。
【図５】図１に示される状態収集システムにおける通信端末の情報の組み合わせの例を示す図である。
【図６】図１に示される状態収集システムの態様を示すフローチャートである。
【図７】図１に示される状態収集システムの態様を示すフローチャートの続きである。
【発明を実施するための形態】
【０００９】
以下に説明する好ましい実施形態は、本発明を容易に理解するために用いられている。従って、当業者は、本発明が、以下に説明される実施形態によって不当に限定されないことを留意すべきである。
【００１０】
図１に示されるように、状態収集システム１は、検出装置１０と通信端末４０とカード型記憶媒体６０を備える。状態収集システム１は、検出装置１０とネットワークを構築するネットワーク構築装置２０、検出装置１０の検出値を蓄積するデータ蓄積装置３０をさらに備えていてもよい。検出装置１０は、複数個備えられ、各検出装置１０は、図示されていないプラント内に配置される複数の機器のうち対応する機器に取り付けられる。複数の検出装置１０は、ネットワーク構築装置２０が構築する例えば無線ＬＡＮ（Local Area Network）及びＺｉｇＢｅｅ（登録商標）等の規格を用いた無線センサネットワーク（WSN: Wireless Sensor Network）に接続することができる。ＷＳＮは、いわゆるメッシュ型ネットワークであることが好ましい。すなわち、複数の検出装置１０がネットワーク構築装置２０と接続し、各検出装置１０（例えば検出装置１０−ａ）は、それ自身が隣接する他の１または複数の検出装置１０（例えば検出装置１０−ｂ及び検出装置１０−ｃ）とも接続することが好ましい。また、通信端末４０は、検出装置１０への情報の記憶、及び情報の取得に用いる。ネットワーク構築装置２０から距離が離れていること等によってＷＳＮと直接接続できない検出装置１０（例えば検出装置１０−ｃ）が存在するときは、状態収集システム１は中継器５０を更に備えて、ＷＳＮの接続可能範囲を補間してもよい。
【００１１】
図１に示される例では、３個の検出装置１０−ａ，１０−ｂ，１０−ｃがネットワーク構築装置２０によって構築されるＷＳＮに接続されるように示されているが、ＷＳＮに接続される検出装置１０は、４個以上であってもよく、１又は２個であってもよい。また、実際の状態収集システム１では、複数のネットワーク構築装置（図１のネットワーク構築装置２０及び図示されていない他の１又は複数のネットワーク構築装置）が備えられている。図示されていない他の１又は複数のネットワーク構築装置には、図１と同様に、図示されていない複数の検出装置が接続されている。
【００１２】
ネットワーク構築装置２０は、通信ネットワークを利用可能に構成されている。通信ネットワークは、３Ｇ回線またはＬＴＥ（Long Term Evolution）回線等のモバイルネットワークや、有線ＬＡＮや無線ＬＡＮ等のローカルエリアネットワーク、ワイドエリアネットワーク（WAN: Wide Area Network）等が存在する。以下、「３Ｇ回線またはＬＴＥ回線等のモバイルネットワーク」を「３Ｇ／ＬＴＥ」とも呼ぶ。ネットワーク構築装置２０は、通信ネットワークを通じてデータ蓄積装置３０と通信可能に構成されている。
【００１３】
図２には、図１に示される状態収集システム１の各構成要素の内部構成の例が示される。図２に示される検出装置１０は、制御部１１、検出部１２、ネットワーク接続部１３、記憶部１４、報知部１５及びタグ部１８を有する。また、検出装置１０は、図示されていない電源ケーブル等で電力を供給することが困難な場所に取り付けられることが想定されるため、更にバッテリ１６を有していることが好ましい。検出装置１０は、例えば制御部１１、検出部１２、ネットワーク接続部１３、記憶部１４、報知部１５、及びタグ部１８の少なくとも１つに対して、電源ケーブルまたはバッテリ１６からの電力の供給を制御する電源制御部１７を更に有してもよい。
【００１４】
検出装置１０の制御部１１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、検出装置１０の機能の全部または一部を実行可能である。
【００１５】
検出装置１０の検出部１２は、検出装置１０が取り付けられた機器の状態量を周期的に検出する。ここで、機器とは、例えばスチームトラップ、回転機等のプラント機器や工場の製造設備等であり、状態量とは、例えば機器の温度、振動、加速度、湿度、圧力、ｐｈ（ペーハー）等の検出値である。
【００１６】
検出装置１０のネットワーク接続部１３は、ネットワーク構築装置２０によって構築されるＷＳＮに接続可能に構成されている。
【００１７】
検出装置１０の記憶部１４は、例えば磁気記憶装置やフラッシュメモリ等の不揮発性メモリからなり、検出装置１０を特定する特定情報である、例えばセンサＩＤが記憶されている。
【００１８】
検出装置１０の報知部１５は、例えばＬＥＤ、ブザー等であって、制御部１１の制御によって起動または停止する。
【００１９】
検出装置１０のバッテリ１６は、検出装置１０が電源オン状態であるときに、少なくとも制御部１１に対して電力を供給する。検出部１２、ネットワーク接続部１３、記憶部１４、報知部１５、及びタグ部１８に対する電力の供給は、制御部１１によって制御されてもよく、電源制御部１７によって制御されてもよい。
検出装置１０の電源制御部１７は、例えばリレーシーケンスまたはトランジスタ等のスイッチング素子等を有する、自己保持回路を備える。
【００２０】
検出装置１０のタグ部１８は、タグＩＣ１８−１及びタグアンテナ１８−２を有する、例えばＮＦＣ（Near Field Communication）に用いられるＲＦ（Radio Frequency）タグである。タグ部１８は、後述する通信端末４０が、非接触で情報をタグＩＣ１８−１に例えば書き込むことによって記憶させることができ、且つ、このタグＩＣ１８−１に非接触で記憶されている情報を例えば読み込むことによって取得することができるように構成されている。検出装置１０は、タグ部１８へ情報が格納された場合に、ネットワークへの参加や自身の制御、情報のネットワーク構築装置２０への送信などの所定の動作を行う。なお、タグ部１８は、タグＩＣ１８−１に記憶された情報を記憶部１４に記憶させてもよく、記憶部１４からタグＩＣ１８−１に情報を読み出してもよい。
【００２１】
図２に示されるネットワーク構築装置２０は、制御部２１、通信部２２、記憶部２３、ネットワーク構築部２４を有する。
【００２２】
ネットワーク構築装置２０の制御部２１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、ネットワーク構築装置２０の機能の全部または一部を実行可能である。
【００２３】
ネットワーク構築装置２０の通信部２２は、例えば３Ｇ／ＬＴＥを利用可能に構成されている。ネットワーク構築装置２０が通信部２２を有することによって、ネットワーク構築装置２０は３Ｇ／ＬＴＥを通じてデータ蓄積装置３０と通信可能に構成されている。
【００２４】
ネットワーク構築装置２０の記憶部２３は、例えば磁気記憶装置やフラッシュメモリ等の不揮発性メモリからなり、後述するネットワーク構築情報を記憶可能である。
【００２５】
ネットワーク構築装置２０のネットワーク構築部２４は、ＷＳＮを構築可能である。ネットワーク構築装置２０が構築するＷＳＮは、特定のネットワーク構築装置２０によって構築されたＷＳＮであることを特定するネットワーク構築情報、例えばネットワークＩＤが与えられている。ネットワーク構築装置２０がネットワーク構築部２４を有することによって、ネットワーク構築装置２０はＷＳＮを通じて検出装置１０と通信可能に構成されている。ネットワーク構築情報（データ００１）は、例えばネットワークＩＤ、このネットワークＩＤで特定されるＷＳＮに接続されている検出装置１０のセンサＩＤ及びこれらの検出装置１０のＷＳＮへの接続状態のリストを含む。ネットワークＩＤで特定されるＷＳＮに中継器５０が接続されているときは、ネットワーク構築情報（データ００１）は、中継器ＩＤ及び中継器のＷＳＮへの接続状態を更に含んでもよい。
【００２６】
図２に示されるデータ蓄積装置３０は、制御部３１、通信部３２及びデータ蓄積部３３を有する。
【００２７】
データ蓄積装置３０の制御部３１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、データ蓄積装置３０の機能の全部または一部を実行可能である。
【００２８】
データ蓄積装置３０の通信部３２は、例えば３Ｇ／ＬＴＥを利用可能に構成され、ネットワーク構築装置２０と通信可能に構成されている。
【００２９】
データ蓄積装置３０のデータ蓄積部３３は、磁気記録媒体やフラッシュメモリ等の不揮発性メモリで構成され、制御部３１と一体であってもよい。データ蓄積部３３は、例えば図３に示されている機器情報（データ００２）を記憶する。機器情報（データ００２）は、例えば複数のネットワークＩＤ、各ネットワークＩＤで特定されるＷＳＮに接続されている検出装置１０のセンサＩＤ（特定情報）、検出装置１０の接続状態、検出装置１０の取付情報、検出装置１０の動作条件、機器の状態、検出装置１０が検出する検出値（状態量）、作業者ＩＤ及び作業内容を含む。検出装置１０の取付情報は、例えばプラント内の番地等の取付エリアを含む。検出装置１０の動作条件は、例えば検出装置１０の検出部１２の検出開始時刻や検出周期を含む。また、中継器５０が接続されているＷＳＮが存在するときは、中継器ＩＤ、これらのＷＳＮへの接続状態及び中継器の取付情報を更に含んでもよい。なお、機器情報（データ００２）には、ネットワーク構築情報（データ００１）の全ての項目が含まれている。
【００３０】
通信端末４０は、制御部４１、タグ制御部４２、記憶部４３、発光部４４及びブザー４５、バッテリ４６を有する。また、通信端末４０は、バッテリ４６からの電力の供給を制御する電源制御部４７を更に有してもよい。通信端末４０は、情報の取得をタグ制御部４２のみで行い、作業者が入力操作を行うためのタッチパネル式のディスプレイのような表示部及び入力部を備えない。
【００３１】
通信端末４０の制御部４１は、回路で構成され、前記回路は、プロセッサ（例えば中央処理装置（CPU: Central Processing Unit））、特定用途向け集積回路（ASIC: Application Specific Integrated Circuit）、フィールドプログラマブルゲートアレイ（FPGA: Field-Programmable Gate Array）などの少なくとも１つの半導体集積回路を含み、通信端末４０の機能の全部または一部を実行可能である。
【００３２】
通信端末４０のタグ制御部４２は、タグリーダ／ライタ４２−１及びタグ制御アンテナ４２−２を有する。タグ制御部４２は、検出装置１０のタグ部１８や後述する情報記憶カード６０−５のタグ部６１へ非接触で情報を書き込むことによって格納させることができる。また、タグ制御部４２は、検出装置１０のタグ部１８や後述するカード型記憶媒体６０のタグ部６１から非接触で情報を読み込むことによって取得することができる。
【００３３】
通信端末４０の記憶部４３は、例えば磁気記憶装置やフラッシュメモリ等の不揮発性メモリからなり、タグ制御部４２が読み込んだ情報を格納することができる。
【００３４】
通信端末４０の発光部４４は、例えば複数のＬＥＤからなり、制御部４１の制御によってタグ制御部４２の状態やイベントに応じて所定の色で発光可能である。
通信端末４０のブザー４５は、制御部４１の制御によってタグ制御部４２の状態やイベントに応じて所定の音を出力可能である。
【００３５】
通信端末４０のバッテリ４６は、通信端末４０が電源オン状態であるときに、少なくとも制御部４１に対して電力を供給する。タグ制御部４２、記憶部４３、発光部４４及びブザー４５に対する電力の供給は、例えば制御部４１を介して電力が供給されてもよく、電源制御部４７によって制御されてもよい。
通信端末４０の電源制御部４７は、例えばリレーシーケンスまたはトランジスタ等のスイッチング素子等を有する、自己保持回路を備える。
【００３６】
中継器５０は、ＷＳＮの接続可能範囲を補間するために、任意に追加される装置である。中継器５０は、制御部５１、ネットワーク接続部５２、記憶部５３、報知部５４、バッテリ５５、電源制御部５６、及びタグ部５７を有する。中継器５０は、検出装置１０と概ね同様の内部構造であるが、検出部を有さない点で検出装置１０と異なる。
【００３７】
カード型記憶媒体６０は、例えばＩＣカードであり、非接触通信をするタグ部６１を有し、樹脂や紙等からなるその外装部にそれぞれの種類に応じた対応色を備える。
【００３８】
カード型記憶媒体６０は、複数種類のカード型記憶媒体６０として、ネットワークＩＤカード６０−１（第１の制御カードの一例）、作業者ＩＤカード６０−２（第２の制御カードの一例）、作業内容（設置時用）カード６０−３（第３の制御カードの一例）、作業内容（運用時用）カード６０−４（第４の制御カードの一例）、情報記憶カード６０−５、及び情報消去カード６０−６を有する。
ネットワークＩＤカード６０−１は、情報としてネットワーク構築装置２０が構築するＷＳＮに接続するためのネットワーク情報が格納されている。このネットワーク情報には、ＷＳＮを特定するネットワーク特定情報であるネットワークＩＤ及びこのネットワークＩＤで特定されるＷＳＮに接続するためのネットワークパスワードが含まれる。ネットワークＩＤカード６０−１は、ＷＳＮの数だけ、すなわち、ネットワーク構築装置２０の数だけ複数用意される。
作業者ＩＤカード６０−２は、情報として作業者を特定する作業者特定情報である、作業者ＩＤが格納されている。作業者ＩＤカード６０−２は、作業者の数だけ複数用意される。
作業内容（設置時用）カード６０−３は、情報として検出装置１０に接続される検出部１２の種類を示す種類情報（以下、単に「検出部１２の種類」とも呼ぶ）を格納する。作業内容（設置時用）カード６０−３は、状態収集システム１で準備された検出部１２の種類の数だけ複数用意され、例えば「温度センサ」、「振動センサ」、「センサなし（中継器５０）」、「汎用センサ」などがある。作業内容（運用時用）カード６０−４は、情報として設備点検などにおける作業者の作業内容を示す作業内容情報（以下、単に「作業内容」とも呼ぶ）を格納するものである。
作業内容（運用時用）カード６０−４は、作業内容等の種類の数だけ複数用意され、例えば設備点検等の作業内容として「異常なし」、「異常あり（注意）」、「異常あり（警告）」、「修理完了」などがある。また、作業内容として設置後の検出装置１０に対して動作を変更させる動作内容を含んでもよく、動作内容としては「停止（自動復旧不可）」、「再接続」、「初期化」などがある。作業内容は、例えば英数字と記号の組み合わせからなるＩＤとして格納される。データ蓄積装置３０には、このＩＤに関連付けられて例えば作業内容を示す紐付けデータ（例えばテキストデータ）が格納される。これにより、送信データの負荷を軽減することができ、また、データ蓄積装置３０側でのデータ管理の自由度が増す。前述の作業者ＩＤについても同様に英数字と記号の組み合わせからなり、データ蓄積装置３０に作業者ＩＤに関連付けられて作業者を示す紐付けデータ（例えばテキストデータ）が格納される。
【００３９】
情報記憶カード６０−５は、最初の状態では情報が格納されていない。情報記憶カード６０−５は、通信端末４０により、制御カード６０−１乃至６０−４の情報を組み合わせて格納可能である。
【００４０】
情報消去カード６０−６は、情報として消去指示が格納されている。通信端末４０は、情報消去カード６０−６を読み込むことで、消去モードとなる。
【００４１】
カード型記憶媒体６０のタグ部６１は、タグＩＣ６１−１及びタグアンテナ６１−２を有する、例えばＮＦＣ（Near Field Communication）に用いられるＲＦ（Radio Frequency）タグである。
制御カード６０−１乃至６０−４及び情報消去カード６０−６のタグ部６１は、通信端末４０が、このタグＩＣ６１−１に非接触で記憶されている情報を読み込むことによって取得することができるが、非接触で情報をタグＩＣ６１−１に書き込むことを禁止するように構成されている。
情報記憶カード６０−５のタグ部６１は、通信端末４０が、このタグＩＣ６１−１に非接触で記憶されている情報を読み込むことによって取得することができるように構成されており、かつ、非接触で情報をタグＩＣ６１−１に書き込むことによって記憶させることができるように構成されている。
【００４２】
さらに、プラントの管理担当者は、３Ｇ／ＬＴＥに接続可能な図示されていないノートパソコン等の管理端末を用いることで、３Ｇ／ＬＴＥを介してデータ蓄積装置３０の機器情報（データ００２）を閲覧及び編集することができる。その結果、管理担当者は機器を直接監視しにいくことなく、機器の状態量を遠隔で監視することが可能になり、異常状態を発見したときに、通信端末４０を携帯する作業者に修繕作業の指示等をすることが可能になる。
【００４３】
図５を参照して、本態様における通信端末４０の情報の組み合わせについて説明する。
通信端末４０は、制御カード６０−１乃至６０−４の情報を組み合わせて記憶部４３に記憶可能であり、タグ制御部４２を介して検出装置１０のタグ部１８に組み合わせた情報を記憶させる。
データ１０１は、検出装置１０の温度センサを設定する場合の例であり、制御カード６０−２、６０−３、６０−４の情報を組み合わせている。
データ１０２は、検出装置１０のＷＳＮ接続を設定する場合の例であり、制御カード６０−１、６０−２、６０−３、６０−４の情報を組み合わせている。
データ１０３は、検出装置１０が取り付けられた機器の点検完了を報告する場合の例であり、制御カード６０−２、６０−４の情報を組み合わせている。
通信端末４０は、このような組み合わせ情報を情報記憶カード６０−５に書き込んで記憶させ、また情報記憶カード６０−５から読み取った組み合わせ情報を検出装置１０に記憶させることで、通信端末４０の情報の運用を容易にする。
【００４４】
通信端末４０は、情報消去カード６０−６を読み込むことで、消去モードとなる。通信端末４０は、消去モードで情報記憶カード６０−５を読み込んだ場合、情報記憶カード６０−５に、例えばタグＩＣ６１−１にゼロを書き込むことにより、記憶している情報を消去する。
これにより、作業の完了した情報記憶カード６０−５を再利用することができる。
【００４５】
図６、図７を参照して、本態様を説明する。
【００４６】
ステップＳ１において、通信端末４０は、通常モード（非消去モード）に遷移する。
【００４７】
ステップＳ２において、通信端末４０は、ＩＣカードと非接触で通信したか判定する。ＩＣカードと通信した場合（Ｙｅｓの場合）は、ステップＳ３に移行する。ＩＣカードと通信していない場合（Ｎｏの場合）は、ステップＳ２を再度実行する。
【００４８】
ステップＳ３において、通信端末４０は、通信したＩＣカードの種別を判定する。情報消去カード６０−６の場合は、ステップＳ４に移行する。制御カード６０−１乃至６０−４のいずれかだった場合は、ステップＳ６に移行する。カード型記憶媒体６０以外のＩＣカードだった場合は、ステップＳ８に移行する。情報記憶カード６０−５であった場合は、ステップＳ１１に移行する。
【００４９】
ステップＳ４において、通信端末４０は、情報消去カード６０−６から消去指示を読み込み、消去モードに遷移する。
【００５０】
ステップＳ５において、通信端末４０は、発光部４４及びブザー４５により、成功を示す報知を行い、その後ステップＳ２に移行する。
【００５１】
ステップＳ６において、通信端末４０は、通常モード（非消去モード）に遷移する。これは、ステップＳ４において、通信端末４０が消去モードになった後、制御カード６０−１乃至６０−４のいずれかと通信した場合の処理である。
【００５２】
ステップＳ７において、通信端末４０は、制御カード６０−１乃至６０−４のいずれかから情報を読み取り、記憶部４３に記憶する。
【００５３】
ステップＳ８において、通信端末４０は、発光部４４及びブザー４５により、エラーを示す報知を行い、その後ステップＳ２に移行する。ステップＳ８は、通信端末４０が想定していないＩＣカードを読み込んだことを意味する。
【００５４】
ステップＳ１１において、通信端末４０は、自身が消去モードであるか判定する。消去モードである場合（Ｙｅｓの場合）は、ステップＳ１２に移行する。消去モードではない場合（Ｎｏの場合）は、ステップＳ１４に移行する。
【００５５】
ステップＳ１２において、通信端末４０は、情報記憶カード６０−５の情報を消去する。
【００５６】
ステップＳ１３において、通信端末４０は、発光部４４及びブザー４５により、成功を示す報知を行い、その後ステップＳ２に移行する。
【００５７】
ステップＳ１４において、通信端末４０は、情報記憶カード６０−５が情報を記憶しているか判定する。情報記憶カード６０−５が情報を記憶している場合（Ｙｅｓの場合）は、ステップＳ１５に移行する。情報記憶カード６０−５が情報を記憶していない場合（Ｎｏの場合）は、ステップＳ１６に移行する。
【００５８】
ステップＳ１５において、通信端末４０は、情報記憶カード６０−５の情報を読み込み、記憶部４３に記憶する。
【００５９】
ステップＳ１６において、通信端末４０は、記憶部４３に情報を記憶しているか判定する。記憶部４３に情報を記憶している場合（Ｙｅｓの場合）は、ステップＳ１７に移行する。記憶部４３に情報を記憶していない場合（Ｎｏの場合）は、ステップＳ１８に移行する。
【００６０】
ステップＳ１７において、通信端末４０は、記憶部４３の情報を情報記憶カード６０−５に書き込むことで記憶させる。
【００６１】
ステップＳ１８において、通信端末４０は、発光部４４及びブザー４５により、失敗を示す報知を行い、その後ステップＳ２に移行する。ステップＳ１８は、通信端末４０の記憶部４３が情報記憶カード６０−５に記憶させる情報を記憶していないことを意味する。
【００６２】
上述の態様は、以下の効果を奏する。
【００６３】
本発明に係る状態収集システム１は、検出装置１０と、通信端末４０と、カード型記憶媒体６０と、を備え、
検出装置１０は、所定の情報を非接触で記憶可能なタグ部１８を有し、
通信端末４０は、カード型記憶媒体６０から前記情報を非接触で読み取り可能であり、かつ、検出装置１０のタグ部１８に読み取った前記情報を非接触で記憶させることが可能なタグ制御部４２を有し、
カード型記憶媒体６０は、前記通信端末と非接触で通信可能であって、前記情報を予め記憶した制御カードと、前記情報を記憶可能な情報記憶カード６０−５により構成され、
通信端末４０は、前記制御カードから読み取った前記情報を情報記憶カード６０−５に記憶させる。
【００６４】
状態収集システム１は、通信端末４０が、制御カードから読み取った情報を情報記憶カード６０−５に記憶させることで、作業内容に応じた情報記憶カード６０−５を作ることができ、通信端末４０の情報の運用を容易にする。
【００６５】
状態収集システム１において、通信端末４０は、複数の前記制御カードから前記情報を読み取って組み合わせ情報として記憶し、前記組み合わせ情報を情報記憶カード６０−５に記憶させる。
【００６６】
状態収集システム１は、通信端末４０が、よく使う情報の組み合わせ情報を情報記憶カード６０−５に記憶させることで、通信端末４０の情報の運用を容易にする。
【００６７】
状態収集システム１において、通信端末４０は、情報記憶カード６０−５から前記情報を読み取り、検出装置１０に記憶させる。
【００６８】
状態収集システム１は、通信端末４０が、情報記憶カード６０−５から読み取った情報を検出装置１０に記憶させることで、検出装置１０の設定を簡略化できる。
【００６９】
状態収集システム１は、情報消去カード６０−６をさらに備え、
通信端末４０は、情報消去カード６０−６を読み取った場合に、情報記憶カード６０−５の前記情報を消去する消去モードとなる。
【００７０】
状態収集システム１は、通信端末４０が、情報消去カード６０−６を読み取った後に情報記憶カード６０−５と通信することで、情報記憶カード６０−５の記憶する情報を消去し、情報記憶カード６０−５を再利用することができる。
【００７１】
通信端末４０は、前記消去モードで前記制御カードを読み取った場合に、前記制御カードの前記情報を消去しない。
【００７２】
状態収集システム１は、前記消去モードで前記制御カードを読み取った場合に、前記制御カードの情報が失われることを防ぐ。
【００７３】
なお、本態様において、通信端末４０は、検出装置１０から情報を読み取り、情報記憶カード６０−５に記憶させてもよい。
【００７４】
本発明は、上述の例示的な実施形態に限定されず、また、当業者は、上述の例示的な実施形態を特許請求の範囲に含まれる範囲まで、容易に変更することができるであろう。
【符号の説明】
【００７５】
１・・・状態収集システム、１０・・・検出装置、１２・・・検出装置の検出部、１８・・・検出装置のタグ部、２０・・・ネットワーク構築装置、３０・・・データ蓄積装置、４０・・・通信端末、４２・・・通信端末のタグ制御部、５０・・・中継器、６０・・・カード型記憶媒体、６０−５・・・情報記憶カード、６０−６・・・情報消去カード、６１・・・カード型記憶媒体のタグ部
【図１】
2020052662.tif 000003
【図２】
2020052662.tif 000004
【図３】
2020052662.tif 000005
【図４】
2020052662.tif 000006
【図５】
2020052662.tif 000007
【図６】
2020052662.tif 000008
【図７】
2020052662.tif 000009